(57)【要約】【課題】  自動演奏データに基づき、ユーザの望む楽譜表示をすることのできる楽譜表示装置を提供する。【解決手段】  楽譜表示装置は、少なくとも音符データと伴奏に関するデータとを含む演奏データを入力可能な演奏データ入力手段と、前記入力される演奏データに基づき楽譜を生成する生成手段と、前記入力される演奏データに含まれる伴奏に関するデータの時間情報に基づき、前記生成手段が生成する楽譜の終端を制御する終端制御手段とを有する。【選択図】  図４
2006064802.tif 000002
【特許請求の範囲】
【請求項１】
少なくとも音符データと伴奏に関するデータとを含む演奏データを入力可能な演奏データ入力手段と、
前記入力される演奏データに基づき楽譜を生成する生成手段と、
前記入力される演奏データに含まれる伴奏に関するデータの時間情報に基づき、前記生成手段が生成する楽譜の終端を制御する終端制御手段と
を有する楽譜表示装置。
【請求項２】
前記終端制御手段は、前記入力される演奏データに含まれる伴奏に関するデータ又は音符データの時間情報に基づき、前記生成手段が生成する楽譜の終端を制御し、
さらに、前記終端制御手段が伴奏に関するデータ又は音符データの時間情報いずれに基づいて終端を制御するかを選択する選択手段を有する請求項１記載の楽譜表示装置。
【請求項３】
前記演奏データは、さらに、音符データと伴奏に関するデータ以外のその他のデータを含み、
前記終端制御手段は、前記入力される演奏データに含まれる伴奏に関するデータ、音符データ及びその他のデータのいずれか一つの時間情報に基づき、前記生成手段が生成する楽譜の終端を制御し、
さらに、前記終端制御手段が伴奏に関するデータ、音符データ及びその他のデータの時間情報いずれに基づいて終端を制御するかを選択する選択手段を有する請求項１記載の楽譜表示装置。
【請求項４】
少なくとも音符データと伴奏に関するデータとを含む演奏データを入力可能な演奏データ入力手順と、
前記入力される演奏データに基づき楽譜を生成する生成手順と、
前記入力される演奏データに含まれる伴奏に関するデータの時間情報に基づき、前記生成手順が生成する楽譜の終端を制御する終端制御手順と
を有する楽譜表示プログラム。
【発明の詳細な説明】
【技術分野】
【０００１】
本発明は、楽譜表示装置に関し、より詳しくは、自動演奏データに基づき楽譜を表示することのできる楽譜表示装置に関する。
【背景技術】
【０００２】
電子楽器等で使用する自動演奏データには、それぞれの楽音につき該楽音の発音タイミングと音高、音量、音長等が記憶されている。そのような自動演奏データに基づき楽譜を生成し、ディスプレイ等に表示したり印刷することが、一般に行われている。例えば、従来、複数パートを有する演奏データに基づいて複数段の五線譜に楽譜を表示する装置が知られている。（例えば、特許文献１参照）。
【０００３】
【特許文献１】特開平１１−３２７４２７号公報
【発明の開示】
【発明が解決しようとする課題】
【０００４】
従来の楽譜表示装置では、自動演奏データに基づき楽譜表示をする際に、楽譜表示対象の自動演奏データ中のどのタイミングを楽譜の終端とするかは、決まっていなかった。そのため、ユーザが望む楽譜の終端が表示されない場合などがある。
【０００５】
本発明の目的は、自動演奏データに基づき、ユーザの望む楽譜表示をすることのできる楽譜表示装置を提供することである。
【課題を解決するための手段】
【０００６】
本発明の一観点によれば、楽譜表示装置は、少なくとも音符データと伴奏に関するデータとを含む演奏データを入力可能な演奏データ入力手段と、前記入力される演奏データに基づき楽譜を生成する生成手段と、前記入力される演奏データに含まれる伴奏に関するデータの時間情報に基づき、前記生成手段が生成する楽譜の終端を制御する終端制御手段とを有する。
【発明の効果】
【０００７】
本発明によれば、自動演奏データに基づき、ユーザの望む楽譜表示をすることのできる楽譜表示装置を提供することができる。
【発明を実施するための最良の形態】
【０００８】
【実施例】
【０００９】
図１は、本発明の実施例による楽譜表示装置１のハードウェア構成を示すブロック図である。
【００１０】
楽譜表示装置１のバス６には、ＲＡＭ７、ＲＯＭ８、ＣＰＵ９、外部記憶装置１５、検出回路１１、表示回路１３、音源回路１８、効果回路１９、通信インターフェイス２１が接続される。
【００１１】
ユーザは、検出回路１１に接続される操作子１２を用いて、各種設定をすることができる。操作子１２は、例えば、マウス、文字入力用キーボード、ジョイスティック、ロータリーエンコーダ、スイッチ、ジョグシャトル等、ユーザの入力に応じた信号を出力できるものならどのようなものでもよい。
【００１２】
また、操作子１２は、マウス等の他の操作子を用いて操作するディスプレイ１４上に表示されるソフトスイッチ等でもよい。
【００１３】
表示回路１３は、ディスプレイ１４に接続され、自動演奏データに基づく楽譜、図３に示す最終小節決定方法選択画面、及びその他の情報等をディスプレイ１４に表示することができる。
【００１４】
外部記憶装置１５は、外部記憶装置用のインターフェイスを含み、そのインターフェイスを介してバス６に接続される。外部記憶装置１５は、例えばフロッピ（登録商標）ディスクドライブ（ＦＤＤ）、ハードディスクドライブ（ＨＤＤ）、光磁気ディスク（ＭＯ）ドライブ、ＣＤ−ＲＯＭ（コンパクトディスク−リードオンリィメモリ）ドライブ、ＤＶＤ（Ｄｉｇｉｔａｌ Ｖｅｒｓａｔｉｌｅ Ｄｉｓｃ）ドライブ、半導体メモリ等である。
【００１５】
外部記憶装置１５には、各種パラメータ、各種データ、及び本実施例を実現するためのプログラム及び自動演奏データ等を記憶することができる。
【００１６】
ＲＡＭ７は、フラグ、レジスタ又はバッファ、各種パラメータ等を記憶するＣＰＵ５のワーキングエリアを有する。ＲＯＭ８には、各種パラメータ及び制御プログラム、又は本実施例を実現するためのプログラム等を記憶することができる。ＣＰＵ９は、ＲＯＭ８又は、外部記憶装置１５に記憶されている制御プログラム等に従い、演算又は制御を行う。
【００１７】
タイマ１０は、ＣＰＵ９に接続されており、基本クロック信号、割り込み処理タイミング等をＣＰＵ９に供給する。
【００１８】
音源回路１８は、ＭＩＤＩ等の自動演奏データや演奏信号に応じて楽音信号を生成し、効果回路１９を介して、サウンドシステム２０に供給する。
【００１９】
効果回路１９は、音源回路１８から供給されるデジタル形式の楽音信号に各種効果を与える。サウンドシステム２０は、Ｄ／Ａ変換器及びスピーカーを含み、供給されるデジタル形式の楽音信号をアナログ形式に変換し、発音する。
【００２０】
通信インターフェイス２１は、ＭＩＤＩ機器が接続可能なＭＩＤＩインターフェイスや、ＵＳＢ機器を接続可能なＵＳＢインターフェイスである。または、ＬＡＮ（ローカルエリアネットワーク）やインターネット、電話回線等の通信ネットワーク３に接続可能なインターフェイスであり、その場合、該通信ネットワーク３を介して、サーバコンピュータ２２等と接続し、ＨＤＤ等外部記憶装置１５、又はＲＡＭ７等内に、サーバコンピュータから制御プログラムや本実施例を実現するためのプログラム等をダウンロードすることができる。
【００２１】
図２は、本発明の実施例を説明するための演奏データＰＤの概念図である。図中、白丸は伴奏に関するデータ（コード情報等）ＡＤ、白い三角は演奏イベントデータ（音符データ以外のイベントデータ）ＥＤ、黒い三角は歌詞データＬＤ、横線は音符データＮＤを表す。演奏データＰＤに含まれる伴奏に関するデータＡＤ、演奏イベントデータＥＤ、歌詞データＬＤ、音符データＮＤは、それぞれ当該データを再生すべき時間情報（タイミングデータ）を含んで構成される。時間情報は、例えば、絶対時間や四分音符の分解能に従ったクロック数若しくは小節と拍とクロックのセットで表すことができる。絶対時間やクロック数にしたがった時間情報を用いる場合は、演奏データ内に含まれる若しくはユーザが設定したテンポデータ、拍子データ、四分音符の分解能を表すデータに基づき小節位置を決定する。
【００２２】
演奏データＰＤは、例えば、ＭＩＤＩ形式の自動演奏データであり、マスタートラックＭＴ、メロディトラックＭＤ及びｎ個のトラックＴＲｎを含んで構成される。
【００２３】
マスタートラックＭＴには、コード情報、伴奏スタイルデータ等の伴奏に関するデータＡＤと、楽曲のテンポ、拍子、調情報等の演奏イベントデータＥＤとが混在して記録されている。なお、伴奏に関するデータＡＤは、コード情報、伴奏スタイルデータ以外にも、例えば、「イントロ」、「エンディング」等の曲構成を表すテキストイベントデータであっても良い。
【００２４】
メロディトラックＭＤには、少なくとも、楽曲のメロディパートに対応する音符データＮＤ（例えば、Ｋｅｙ−ｏｎイベント、Ｋｅｙ−ｏｆｆイベント及びそれらの時間情報（タイミングデータ）を含む）と、楽曲の歌詞に対応するテキストデータＬＤ（歌詞データ）とが混在して記録されている。なお、メロディトラックＭＤに、演奏イベントデータＥＤを併せて記録しても良い。演奏イベントデータＥＤは、例えば、ピッチベンドデータやエクスプレッションデータなどの音符データＮＤ以外のイベントデータである。
【００２５】
その他のトラックｎには、メロディパート以外の各パートに対応する音符データＮＤと演奏イベントデータＥＤとが混在して記録されている。なお、その他のトラックｎに歌詞データＬＤを記録するようにしても良い。
【００２６】
本実施例の楽譜表示処理では、演奏データＭＤをディスプレイ１４（図１）等に楽譜表示する際に、楽譜端（主に終端）の位置（小節）を、演奏データＰＤに含まれる伴奏に関するデータＡＤ、演奏イベントデータＥＤ、歌詞データＬＤ、音符データＮＤ等の時間情報（タイミングデータ）に基づき決定する。
【００２７】
表示する楽譜の楽譜端は、例えば、図３に示す最終小節決定方法選択画面からユーザが一つの選択肢を選択することにより決定する。最終小節決定方法の選択肢は、例えば、図に示すように、「伴奏に関するデータを元に楽譜の最終小節を決定する。」、「メロディトラック内の最終音符データを元に楽譜の最終小節を決定する。」、「全トラックにおける最終音符データを元に楽譜の最終小節を決定する。」及び「全トラックにおける最終演奏イベントデータを元に楽譜の最終小節を決定する」等が考えられる。
【００２８】
上記の選択肢のほかにも、例えば、「メロディトラック内の最終演奏イベントデータを元に楽譜の最終小節を決定する。」、「全トラックにおける最終歌詞データを元に最終小節を決定する。」等の選択肢を設けるようにしても良い。さらに、全トラックの最終タイミングのデータ（最終データ）を含む小節の最後の位置をデータの種類に関らず楽譜の終端として決定するような選択肢を設けても良い。
【００２９】
なお、最終小節決定方法の選択は、例えば、マウス等の操作子１２を用いて行う。具体的には、マウス等を用いて、カーソルＣＲを各選択肢の右側にあるオプションボタンＯＰに合わせてクリックした後に決定ボタンＯＫ上でクリックすることにより行う。
【００３０】
ユーザが、「伴奏に関するデータを元に楽譜の最終小節を決定する。」を選択した場合は、図２のマスタートラックＭＴ内（又は全トラック内）を検索して、最後（最終タイミング）の伴奏に関するデータＡＤを検出し、該検出した伴奏に関するデータＡＤが含まれる小節を最終小節として決定する。すなわち、図２の矢印ＥＰ１に示すように、最終タイミングの伴奏に関するデータＡＤが含まれる小節Ｍ８の最終位置を楽譜の終端とする。なお、後述するように、最終タイミングの音符データＮＤの位置が最終タイミングの伴奏に関するデータＡＤよりも後ろにある場合は、当該最終タイミングの音符データＮＤの含まれる小節の最後を楽譜の終端としても良い。
【００３１】
ユーザが、「メロディトラック内の最終音符データを元に楽譜の最終小節を決定する。」を選択した場合は、図２のメロディトラックＭＤ内を検索して、最後（最終タイミング）の音符データＮＤを検出し、該検出した音符データＮＤが含まれる小節を最終小節として決定する。すなわち、図２の矢印ＥＰ２に示すように、最終タイミングの音符データＮＤが含まれる小節Ｍ５の最終位置を楽譜の終端とする。
【００３２】
ユーザが、「全トラックにおける最終音符データを元に楽譜の最終小節を決定する。」を選択した場合は、図２の全トラック内を検索して、最後（最終タイミング）の音符データＮＤを検出し、該検出した音符データＮＤが含まれる小節を最終小節として決定する。すなわち、図２の矢印ＥＰ３に示すように、最終タイミングの音符データＮＤが含まれる小節Ｍ８の最終位置を楽譜の終端とする。
【００３３】
ユーザが、「全トラックにおける最終演奏イベントデータを元に楽譜の最終小節を決定する。」を選択した場合は、図２の全トラック内を検索して、最後（最終タイミング）の演奏イベントデータＥＤを検出し、該検出した演奏イベントデータＥＤが含まれる小節を最終小節として決定する。すなわち、図２の矢印ＥＰ４に示すように、最終タイミングの演奏イベントデータＥＤが含まれる小節Ｍ１０の最終位置を楽譜の終端とする。
【００３４】
なお、図３に示す選択肢にはないが、「全トラックにおける最終歌詞データを元に最終小節を決定する。」場合は、図２の全トラック内を検索して、最後（最終タイミング）の歌詞データＬＤを検出し、該検出した歌詞データＬＤが含まれる小節を最終小節として決定する。すなわち、図２の矢印ＥＰ５に示すように、最終タイミングの歌詞データＬＤが含まれる小節Ｍ７の最終位置を楽譜の終端とする。
【００３５】
図４は、本実施例による楽譜表示処理を表すフローチャートである。
【００３６】
ステップＳＡ１では、楽譜表示処理をスタートし、ステップＳＡ２では、楽譜表示をすべき演奏データＰＤを、例えば、外部記憶装置１５（図１）等に記憶されている中から選択する。
【００３７】
ステップＳＡ３では、ステップＳＡ２で選択した演奏データＰＤの音符データＮＤを例えば、ＲＡＭ７（図１）等に設けられるバッファ領域に読み込む。ステップＳＡ４では、ステップＳＡ２で選択した演奏データＰＤの伴奏に関するデータＡＤを例えば、ＲＡＭ７（図１）等に設けられるバッファ領域に読み込む。ステップＳＡ５では、ステップＳＡ２で選択した演奏データＰＤのその他のデータを例えば、ＲＡＭ７（図１）等に設けられるバッファ領域に読み込む。
【００３８】
ステップＳＡ６では、図５に示す選択画面表示処理を実行する。選択画面表示処理は、例えば、図３に示す最終小節決定方法選択画面を表示するための処理である。後述の選択画面表示処理では、演奏データＰＤ中の各種データの有無に基づき選択肢を選択可能又は不可能な状態するが、この例では、全ての選択肢が選択可能状態にあることを前提として説明する。
【００３９】
ステップＳＡ７では、ユーザによる最終小節決定方法の選択の有無を判断する。最終小節決定方法の選択操作を検出した場合は、ＹＥＳの矢印で示すステップＳＡ８に進み、選択操作を検出しない場合は、ＮＯの矢印で示すようにこのステップＳＡ７を繰り返して、ユーザの選択操作の入力を待つ。なお、いずれかの選択肢をデフォルトとして予め設定しておきユーザの選択操作が無い場合には、デフォルトの選択肢が選択されたものとして以降の処理に進むようにしても良い。
【００４０】
ステップＳＡ８では、ステップＳＡ７で検出した選択操作が選択肢「伴奏に関するデータを元に楽譜の最終小節を決定する。」を選択するものであるか否かを判断する。当該選択肢を選択したものである場合は、ＹＥＳの矢印で示すステップＳＡ９に進み、それ以外の場合は、ＮＯの矢印で示すステップＳＡ１１に進む。
【００４１】
ステップＳＡ９では、ステップＳＡ４で読み込んだ伴奏に関するデータＡＤの最終タイミングはステップＳＡ３で読み込んだ音符データＮＤの最終タイミングよりも後のタイミングであるか否かを判断する。最後の伴奏に関するデータＡＤが最後の音符データＮＤより後のタイミングである場合は、ＹＥＳの矢印で示すステップＳＡ１０に進む。最後の伴奏に関するデータＡＤが最後の音符データＮＤより前のタイミングである場合は、ＮＯの矢印で示すステップＳＡ１２に進む。
【００４２】
ステップＳＡ１０では、最後の伴奏に関するデータＡＤ（伴奏に関するデータＡＤの最終タイミング位置）に基づき、最後の小節を決定する。図２のマスタートラックＭＴ内（又は全トラック内）を検索して、最後（最終タイミング）の伴奏に関するデータＡＤを検出し、該検出した伴奏に関するデータＡＤが含まれる小節を最終小節として決定する。その後、ステップＳＡ１６に進む。
【００４３】
ステップＳＡ１１では、ステップＳＡ７で検出した選択操作が選択肢「全トラックにおける最終音符データを元に楽譜の最終小節を決定する。」を選択するものであるか否かを判断する。当該選択肢を選択したものである場合は、ＹＥＳの矢印で示すステップＳＡ１２に進み、それ以外の場合は、ＮＯの矢印で示すステップＳＡ１３に進む。
【００４４】
ステップＳＡ１２では、例えば、図２の全トラック内を検索して、最後（最終タイミング）の音符データＮＤを検出し、該検出した音符データＮＤが含まれる小節を最終小節として決定する。その後、ステップＳＡ１６に進む。
【００４５】
ステップＳＡ１３では、ステップＳＡ７で検出した選択操作が選択肢「メロディトラック内の最終音符データを元に楽譜の最終小節を決定する。」を選択するものであるか否かを判断する。当該選択肢を選択したものである場合は、ＹＥＳの矢印で示すステップＳＡ１４に進み、それ以外の場合、すなわち、「全トラックにおける最終演奏イベントデータを元に楽譜の最終小節を決定する。」を選択したものである場合は、ＮＯの矢印で示すステップＳＡ１５に進む。
【００４６】
ステップＳＡ１４では、例えば、図２のメロディトラックＭＤ内を検索して、最後（最終タイミング）の音符データＮＤを検出し、該検出した音符データＮＤが含まれる小節を最終小節として決定する。その後、ステップＳＡ１６に進む。
【００４７】
ステップＳＡ１５では、例えば、図２の全トラック内を検索して、最後（最終タイミング）の演奏イベントデータＥＤを検出し、該検出した演奏イベントデータＥＤが含まれる小節を最終小節として決定する。その後、ステップＳＡ１６に進む。
【００４８】
ステップＳＡ１６では、ステップＳＡ３〜ステップＳＡ５で読み込んだデータに従い、楽譜表示を行う。その際、楽譜の終端位置は、ステップＳＡ１０、ステップＳＡ１２、ステップＳＡ１４、ステップＳＡ１５のいずれかで決定された最終小節の最後の位置とする。その後、ステップＳＡ１７に進み、楽譜表示処理を終了する。
【００４９】
図５は、図４のステップＳＡ６の選択画面表示処理を表すフローチャートである。
【００５０】
ステップＳＢ１で、選択画面表示処理を開始し、ステップＳＢ２で表示すべき楽譜の最終小節決定方法の全選択項目（全選択肢）を選択可能状態に設定する。
【００５１】
ステップＳＢ３では、図４のステップＳＡ２で選択した演奏データＰＤ中の伴奏に関するデータＡＤの有無を判断する。なお、この判断は例えば、ステップＳＡ４で伴奏に関するデータＡＤを読み込むバッファ内にデータが保存されているか否かを確認することにより行うことができる。伴奏に関するデータＡＤがある場合は、ＹＥＳの矢印で示すステップＳＢ５に進み、無い場合は、ＮＯの矢印で示すステップＳＢ４に進み、「伴奏に関するデータを元に楽譜の最終小節を決定する。」の項目を選択不可能状態に設定する。
【００５２】
ステップＳＢ５では、図４のステップＳＡ２で選択した演奏データＰＤ中の音符データＮＤの有無を判断する。なお、この判断は例えば、ステップＳＡ３で音符データＮＤを読み込むバッファ内にデータが保存されているか否かを確認することにより行うことができる。音符データＮＤがある場合は、ＹＥＳの矢印で示すステップＳＢ７に進み、無い場合は、ＮＯの矢印で示すステップＳＢ６に進む。
【００５３】
ステップＳＢ６では、「メロディトラック内の最終音符データを元に楽譜の最終小節を決定する。」と「全トラックにおける最終音符データを元に楽譜の最終小節を決定する。」との２項目を選択不可能状態に設定する。その後、ステップＳＢ９に進む。
【００５４】
ステップＳＢ７では、演奏データＰＤ中の１つのトラックにのみ音符データＮＤが存在するか否か、すなわち、ステップＳＢ５で存在を確認した音符データＮＤは、単一のトラック内のものか否かを判断する。一つのトラックにのみ音符データＮＤが存在する場合はＹＥＳの矢印で示すステップＳＢ８に進み、複数のトラックに音符データＮＤが存在する場合は、ＮＯの矢印で示すステップＳＢ９に進む。
【００５５】
ステップＳＢ８では、「全トラックにおける最終音符データを元に楽譜の最終小節を決定する。」の項目を選択不可能状態に設定し、ステップＳＢ９に進む。
【００５６】
ステップＳＢ９では、演奏データＰＤ中に伴奏に関するデータＡＤと音符データＮＤ以外のデータが存在するか否かを判断する。本実施例では、演奏イベントデータＥＤの有無を判断する。その場合、例えば、ステップＳＡ５で演奏イベントデータＥＤを読み込むバッファ内にデータが保存されているか否かを確認することにより行うことができる。その他のデータ（演奏イベントデータＥＤ）が有る場合は、ＹＥＳの矢印で示すステップＳＢ１１に進む。無い場合は、ＮＯの矢印で示すステップＳＢ１０に進み、「全トラックにおける最終演奏イベントデータを元に楽譜の最終小節を決定する」の項目を選択不可能状態に設定し、ステップＳＢ１１に進む。
【００５７】
ステップＳＢ１１では、ステップＳＢ２〜ＳＢ１０までの設定内容に従い、楽譜の最終小節決定方法選択画面（例えば、図２参照）をディスプレイ１４に表示する。その後、ステップＳＢ１２で選択画面表示処理を終了して、図４のステップＳＡ７に進む。
【００５８】
以上、本発明の実施例によれば、演奏データＰＤを楽譜表示する際に、複数の楽譜の終端位置決定方法をユーザに提示して、該ユーザの選択に従って、楽譜の終端位置を決定することができる。よって、ユーザの望む範囲までの楽譜を容易に表示することができる。
【００５９】
なお、楽譜表示の対象とする演奏データによっては、複数の終端位置決定方法において結果的に同じ終端位置となる場合があるが、その場合には、結果が同じとなる決定法の中から一つの決定方だけをユーザが選択可能にするようにしても良い。
【００６０】
なお、本実施例は、本実施例に対応するコンピュータプログラム等をインストールした汎用のコンピュータ等によって、実施させるようにしてもよい。
【００６１】
その場合には、本実施例に対応するコンピュータプログラム等を、ＣＤ−ＲＯＭやフロッピーディスク等の、コンピュータが読み込むことが出来る記憶媒体に記憶させた状態で、ユーザに提供してもよい。
【００６２】
以上実施例に沿って本発明を説明したが、本発明はこれらに制限されるものではない。例えば、種々の変更、改良、組合せ等が可能なことは当業者に自明であろう。
【図面の簡単な説明】
【００６３】
【図１】本発明の実施例による楽譜表示装置１のハードウェア構成を示すブロック図である。
【図２】本発明の実施例を説明するための演奏データＰＤの概念図である。
【図３】本発明の実施例による最終小節決定方法選択画面の一例である。
【図４】本実施例による楽譜表示処理を表すフローチャートである。
【図５】図４のステップＳＡ６の選択画面表示処理を表すフローチャートである。
【符号の説明】
【００６４】
１…楽譜表示装置、３…通信ネットワーク、６…バス、７…ＲＡＭ、８…ＲＯＭ、９…ＣＰＵ、１０…タイマ、１１…検出回路、１２…操作子、１３…表示回路、１４…ディスプレイ、１５…外部記憶装置、１８…音源回路、１９…効果回路、２０…サウンドシステム、２１…通信Ｉ／Ｆ、２２…サーバ
【図１】
2006064802.tif 000003
【図２】
2006064802.tif 000004
【図３】
2006064802.tif 000005
【図４】
2006064802.tif 000006
【図５】
2006064802.tif 000007